(57)【要約】【課題】皮膚や粘膜に対する刺激が小さく、しかも、エアゾールスプレーとして用いることのできるエアゾール用組成物と、それを用いたエアゾール洗浄剤とを提供すること。【解決手段】エアゾール用組成物として、脂肪酸セッケンと、炭素数２または３のアルコール系化合物と、テルペン系化合物と、水とを含有させる。このエアゾール用組成物を、噴射剤とともに、エアゾール容器内に充填することにより、エアゾールスプレーとして使用可能な洗浄剤、好適には、温水洗浄便座２の洗浄ノズル３用クリーナーまたは便器のボックス型リム部の噴水孔用クリーナーとして使用可能なエアゾール洗浄剤１が得られる。【選択図】図１
2006089762.tif 000002
【特許請求の範囲】
【請求項１】
脂肪酸セッケンと、炭素数２または３のアルコール系化合物と、テルペン系化合物と、水とを含有することを特徴とする、エアゾール用組成物。
【請求項２】
エアゾール容器と、請求項１に記載のエアゾール用組成物と、噴射剤とを備え、前記エアゾール用組成物および前記噴射剤が、前記エアゾール容器内に充填されていることを特徴とする、エアゾール洗浄剤。
【請求項３】
さらに、前記エアゾール容器は、前記エアゾール用組成物を外部へ噴射させるための噴射口に接続される噴射管を備えていることを特徴とする、請求項２に記載のエアゾール洗浄剤。
【請求項４】
温水洗浄便座の洗浄ノズル用クリーナーであることを特徴とする、請求項２または３に記載のエアゾール洗浄剤。
【請求項５】
便器のボックス型リム部の噴水孔用クリーナーであることを特徴とする、請求項２または３に記載のエアゾール洗浄剤。
【発明の詳細な説明】
【技術分野】
【０００１】
本発明は、水性のエアゾール用組成物と、エアゾール洗浄剤とに関する。
【背景技術】
【０００２】
近年、洗浄ノズルから噴射される温水で肛門部などを洗浄する機能を備えた、いわゆる温水洗浄便座が、家庭用のトイレだけでなく、オフィス、ホテルなどの公衆用トイレにおいても、広く普及している。温水洗浄便座の洗浄ノズルは、通常、便座内部のノズル収納部に収納されており、例えば、使用者がスイッチをオンしたときに洗浄位置まで移動して、使用者の肛門部などへ温水を噴射し、洗浄する。
【０００３】
上記洗浄ノズルの洗浄位置は、通常、使用者の肛門部などの下方に設定されていることから、洗浄後の汚水により、洗浄ノズルの表面が汚染されることは避けられない。そこで、従来の温水洗浄便座は、例えば、洗浄ノズルを出し入れする際に、自動的に洗浄ノズルの表面に温水などをかけるなどして、洗浄ノズルの表面に付着した汚水や汚物を洗い流している。しかしながら、このような方法では洗浄効果が十分であるとはいい難く、温水洗浄便座の使用者に対し、洗浄ノズルの清潔さに疑問を抱かせる原因となっている。
【０００４】
また、洗浄ノズル表面のクリーニングは、通常、洗浄ノズルをノズル収納部から引き出した後に、その表面を擦り洗いするのが一般的であるが、このような方法は、手間がかかる。しかも、擦り洗いする際に汚れたノズルを手で支える必要があるなど、クリーニングをする者にとって心理的な負担も大きい。
さらに、例えば、温水洗浄便座や家庭用洗剤の使用説明書には、家庭用洗剤を付着させた布やブラシを用いて、洗浄ノズルの表面を擦り洗いする例が示されているものの、家庭用洗剤などが洗浄ノズル先端部の噴出孔などに残留したときには、温水洗浄便座の使用者の肛門部などに洗剤が付着するおそれを生じることから、好ましくない。
【０００５】
なお、近年、洗浄ノズルの表面の清潔さを保つために、洗浄ノズルを形成する樹脂に抗菌剤を含有させたり（特許文献１）、洗浄ノズルの表面に切り欠き部、接合部などを有しない、いわゆるシームレス構造とすることで、汚れが付着されにくくしたりする（特許文献２）といった提案がされている。しかし、これらの対策は、いずれも、洗浄ノズル表面の汚染に対し、根本的な解決となり得るものではない。
【０００６】
また、近年広く普及している便器では、通常、便器ボール部上縁のボックス型リム部が中空状に形成されており、その中空部を通水経路として、上記ボックス型リム部の壁面に設けられた噴水孔から、上記便器ボール部の内側壁面に沿って洗浄水が噴出される構造を有している。
しかし、上記ボックス型リム部の内側は、便器の外側から見えにくく、かつ、洗浄ブラシなどが届きにくいことから、上記噴水孔に汚れが付着し易いという不具合がある。
【特許文献１】特開平７−２４１９３０号公報
【特許文献２】特開２００１−３４８９０４０号公報
【発明の開示】
【発明が解決しようとする課題】
【０００７】
そこで、本発明の目的は、皮膚や粘膜に対する刺激が小さく、しかも、エアゾールスプレーとして用いることのできるエアゾール用組成物と、それを用いたエアゾール洗浄剤とを提供することである。
【課題を解決するための手段】
【０００８】
上記目的を達成するために、本発明のエアゾール用組成物は、脂肪酸セッケンと、炭素数２または３のアルコール系化合物と、テルペン系化合物と、水とを含有することを特徴とする。
上記エアゾール用組成物は、洗浄料としての脂肪酸セッケンと、溶媒としての炭素数２または３のアルコール系化合物および水と、抗菌および芳香作用を発揮するテルペン系化合物とを含有している。また、上記エアゾール用組成物では、アニオン界面活性剤である脂肪酸セッケンを除く、他の界面活性剤は、主たる洗浄料成分ではなく、また、有機溶媒は、主たる溶媒成分ではない。
【０００９】
それゆえ、上記エアゾール用組成物によれば、例えば、下水に直接排出されるような用途で用いた場合であっても、環境に対する負荷を抑えることができる。また、主たる洗浄料成分が脂肪酸セッケンであって、皮膚や粘膜に対する刺激が小さいことから、皮膚や粘膜に付着されるおそれがある用途にも用いることができる。
また、本発明のエアゾール洗浄剤は、エアゾール容器と、本発明に係るエアゾール用組成物と、噴射剤とを備え、前記エアゾール用組成物および前記噴射剤が、前記エアゾール容器内に充填されていることを特徴とする。
【００１０】
上記エアゾール洗浄剤は、エアゾール容器から噴射されたときに、ムース状となる。すなわち、主たる洗浄料成分が脂肪酸セッケンである上記エアゾール用組成物を、ムース状で使用することができる。
それゆえ、上記エアゾール洗浄剤によれば、上記エアゾール用組成物を、洗浄の対象物上で比較的長時間にわたって付着させることができる。
【００１１】
上記エアゾール容器は、上記エアゾール用組成物を外部へ噴射させるための噴射口に接続される噴射管を備えていることが好ましい。
また、上記エアゾール容器は、好ましくは、温水洗浄便座の洗浄ノズル用クリーナーである。
また、上記エアゾール容器は、好ましくは、便器のボックス型リム部の噴水孔用クリーナーである。
【発明の効果】
【００１２】
本発明のエアゾール用組成物によれば、環境に対する負荷が小さく、かつ、皮膚や粘膜に対する刺激が小さいことから、例えば、下水に直接排出されるような用途や、皮膚や粘膜に付着されるおそれがある用途に、好適に用いることができる。
また、本発明のエアゾール洗浄剤によれば、上記エアゾール用組成物を、洗浄の対象物上で比較的長時間にわたって付着させられることから、洗浄時間を長く取ることができ、確実な洗浄を達成することができる。
【００１３】
また、例えば、本発明のエアゾール洗浄剤を用いて温水洗浄便座の洗浄ノズルをクリーニングする場合には、ムース状に噴射された上記エアゾール用組成物を洗浄ノズルの表面に付着させればよく、洗浄ノズルを直接に手で支える必要をなくすことができる。また、これにより、洗浄ノズルをクリーニングするのに際して、手間や心理的な負担を軽減させることができる。
【００１４】
さらに、例えば、本発明のエアゾール洗浄剤を用いて、便器のボックス型リム部の噴水孔をクリーニングする場合には、エアゾール容器の噴射口に接続される噴射管から上記エアゾール用組成物をムース状に噴射し、上記噴水孔の近傍に付着させればよく、便器の外側から見えにくく、かつ、洗浄ブラシなどが届きにくい上記噴水孔を容易に洗浄することができる。
【発明を実施するための最良の形態】
【００１５】
本発明のエアゾール用組成物は、脂肪酸セッケンと、炭素数２または３のアルコール系化合物と、テルペン系化合物と、水とを含有している。
上記脂肪酸セッケンは、脂肪酸にアルカリを加えて得られる脂肪酸塩であって、洗浄料成分として配合される。
上記脂肪酸塩の脂肪酸としては、種々の脂肪酸を挙げることができる。それゆえ、これに限定されないが、例えば、カプリル酸（オクタン酸）、ペラルゴン酸（ノナン酸）、カプリン酸（デカン酸）、ウンデシル酸（ウンデカン酸）、ラウリン酸（ドデカン酸）、トリデシル酸（トリデカン酸）、ミリスチン酸（テトラデカン酸）、ペンタデシル酸（ペンタデカン酸）、パルミチン酸（ヘキサデカン酸）、ヘプタデシル酸（ヘプタデカン酸）、ステアリン酸（オクタデカン酸）、ノナデカン酸、アラキン酸（イコサン酸）、ヘンイコサン酸、ベヘン酸（ドコサン酸）などの、炭素数８〜２２の飽和脂肪酸、例えば、ウンデシレン酸（１０−ウンデセン酸）、オレイン酸（シス−９−オクタデセン酸）、エライジン酸（トランス−９−オクタデセン酸）、リノール酸（シス−９，シス−１２−オクタデカジエン酸）、リノエライジン酸（トランス−９，トランス−１２−オクタデカジエン酸）、α−リノレン酸（９，１２，１５−オクタデカトリエン酸）、γ−リノレン酸（６，９，１２−オクタデカトリエン酸）、ステアロール酸（９−オクタデシン酸）、アラキドン酸（シス−５，８，１１，１４−エイコサテトラエン酸）、エルカ酸（シス−１３−ドコセン酸）、ブラシジン酸（トランス−１３−ドコセン酸）、セトレイン酸（１１−ドコセン酸）などの、炭素数８〜２２の不飽和脂肪酸が挙げられる。
【００１６】
上記例示の脂肪酸は、単独で用いてもよく、２種以上を混合して用いてもよい。また、上記脂肪酸は、例えば、ヤシ油、パーム油、パーム核油、牛脂、オリーブ油などの天然物であってもよく、また、これらの天然物のように、２以上の脂肪酸の混合物であってもよい。
上記脂肪酸塩としては、これに限定されないが、例えば、リチウム塩、ナトリウム塩、カリウム塩、トリエタノールアミン塩、ジエタノールアミン塩、モノエタノールアミン塩などが挙げられる。なかでも、特に好ましくは、ナトリウム塩、カリウム塩である。
【００１７】
上記の炭素数２または３のアルコール系化合物は、例えば、水とともに、脂肪酸セッケン、テルペン系化合物、および、後述するその他の成分を溶解、分散させるために配合される。
炭素数２または３のアルコール系化合物は、特に限定されないが、具体的には、例えば、炭素数２または３の、一価、二価または三価のアルコールが挙げられる。
【００１８】
炭素数２または３の一価アルコールとしては、例えば、エタノール、１−プロパノール、２−プロパノール（イソプロピルアルコール）などが挙げられ、好ましくは、エチルアルコール、２−プロパノールが挙げられる。
炭素数２または３の二価アルコールとしては、例えば、エチレングリコール、プロピレングリコール、トリメチレングリコール（１，３−プロパンジオール）などが挙げられ、好ましくは、エチレングリコール、プロピレングリコールが挙げられる。
【００１９】
炭素数２または３の三価アルコールとしては、例えば、グリセリンが挙げられる。
テルペン系化合物は、例えば、抗菌および芳香作用を発揮させるために配合される。
テルペン系化合物としては、これに限定されないが、例えば、リモネン、（α−，β−）ピネン、カンフェン、シネオール、ピペリトン、テルピネオール、（α−，β−，γ−）テルピネンなどが挙げられる。
【００２０】
上記例示のテルペン系化合物は、単独で用いてもよく、２種以上を混合して用いてもよい。また、上記テルペン系化合物は、例えば、ユーカリの精油、ヒノキの精油、ヒバの精油、松精油（テルペン油）、オレンジの精油などの天然物中に存在する形態であってもよく、また、これら天然物中に、２以上のテルペン系化合物の混合物として存在する形態あってもよい。
【００２１】
上記エアゾール用組成物には、必須の成分として、水が配合され、さらに、任意の成分として、香料、抗菌剤、界面活性剤などを配合することもできる。
界面活性剤としては、例えば、アニオン界面活性剤（脂肪酸セッケンを除く。）、ノニオン界面活性剤などが挙げられる。
アニオン界面活性剤（脂肪酸セッケンを除く。）としては、例えば、アミノ酸系、硫酸エステル塩系などのアニオン界面活性剤が挙げられる。
【００２２】
アミノ酸系のアニオン界面活性剤の具体例としては、例えば、ココイルグルタミン酸塩、ラウリルグルタミン酸塩、ミリスチングルタミン酸塩、天然タンパク質の加水分解物（例えば、シルク（絹）から得られるアミノ酸系界面活性剤など。）などが挙げられる。また、これらの塩としては、例えば、リチウム塩、ナトリウム塩、カリウム塩、トリエタノールアミン塩、ジエタノールアミン塩、モノエタノールアミン塩などが挙げられ、なかでも、特に好ましくは、ナトリウム塩、カリウム塩、トリエタノールアミン塩である。
【００２３】
硫酸エステル塩系のアニオン界面活性剤としては、例えば、高級アルコール硫酸エステル塩、（例えば、ラウリル硫酸エステル塩、ステアリル硫酸エステル塩など。）、高級アルキルエーテル硫酸エステル塩（例えば、ラウリルエーテル硫酸エステル塩など。）などが挙げられる。また、これらの塩としては、上記したのと同様の塩が挙げられる。
アニオン界面活性剤は、上記例示のなかでも、好ましくは、アミノ酸系アニオン界面活性剤が挙げられ、より好ましくは、ココイルグルタミン酸ナトリウム、ココイルグルタミン酸カリウム、ラウリルグルタミン酸ナトリウム、ラウリルグルタミン酸カリウム、ミリスチングルタミン酸トリエタノールアミンが挙げられる。これらは、一般に、低刺激性の洗浄剤であることから、例えば、上記エアゾール洗浄剤が皮膚や粘膜に付着されるおそれがある用途において、好適である。
【００２４】
ノニオン界面活性剤としては、例えば、アルキルグルコシド型（アルキルポリグルコシド）、ポリエチレングリコール型、多価アルコール型などのノニオン界面活性剤が挙げられる。
アルキルグルコシド型のノニオン界面活性剤としては、アルキル部分の炭素数が８〜２２であるアルキルポリグルコシドが挙げられる。
【００２５】
炭素数が８〜２２のアルキルとしては、例えば、オクタン、ノナン、デカン、ウンデカン、ドデカン、トリデカン、テトラデカン、ペンタデカン、ヘキサデカン、ヘプタデカン、オクタデカン、ノナデカン、イコサン、ヘンイコサン、ドコサン、１０−ウンデセン、シス−９−オクタデセン、トランス−９−オクタデセン、シス−９，シス−１２−オクタデカジエン、トランス−９，トランス−１２−オクタデカジエンなどが挙げられる。
【００２６】
ポリエチレングリコール型のノニオン界面活性剤としては、例えば、ポリオキシエチレンソルビタン脂肪酸（モノ、ジ、トリ）エステル、ポリオキシエチレンソルビトール脂肪酸（モノ、ジ、トリ）エステル、ポリオキシエチレンひまし油、脂肪酸ソルビタン（モノ、ジ、トリ）エステルなどが挙げられる。
ポリオキシエチレンソルビタン脂肪酸（モノ、ジ、トリ）エステル、ポリオキシエチレンソルビトール脂肪酸（モノ、ジ、トリ）エステルおよび脂肪酸ソルビタン（モノ、ジ、トリ）エステルにおける脂肪酸としては、上記脂肪酸塩について例示したのと同様の脂肪酸が挙げられる。
【００２７】
多価アルコール型のノニオン界面活性剤としては、例えば、シュガーエステル系（例えば、ショ糖脂肪酸エステル、ソルビタン脂肪酸エステルなど。）、グリセリンエステル系（例えば、グリセリンエステル、グリセリン脂肪酸エステルなど。）などのノニオン界面活性剤が挙げられる。
ショ糖脂肪酸エステル、ソルビタン脂肪酸エステルおよびポリグリセリン脂肪酸エステルにおける脂肪酸としては、上記脂肪酸塩について例示したのと同様の脂肪酸が挙げられる。
【００２８】
また、グリセリンエステルおよびグリセリン脂肪酸エステルのグリセリンとしては、モノグリセリンまたはポリグリセリンが挙げられ、好ましくは、モノグリセリンと、ジグリセリンからデカグリセリンまでのポリグリセリンが挙げられる。グリセリンエステルおよびグリセリン脂肪酸エステルのエステルは、モノエステルからテトラエステルまでのエステルが挙げられる。
【００２９】
上記エアゾール用組成物は、各上記成分を配合して、混合、分散することにより得ることができる。
脂肪酸セッケンの含有割合は、エアゾール用組成物中で、好ましくは、１〜１０重量％であり、より好ましくは、２〜５重量％である。
脂肪酸セッケンの含有割合が上記範囲を下回ると、エアゾール用組成物の洗浄力（例えば、温水洗浄便座の洗浄ノズル用クリーナーとしてのエアゾール洗浄剤の場合は、洗浄ノズルに対する洗浄力）が低下するおそれがある。逆に、脂肪酸セッケンの含有割合が上記範囲を上回ると、エアゾール用組成物の粘度が上昇して、エアゾール洗浄剤に適用する場合に、エアゾール容器から正常に噴射されなくなるおそれがある。
【００３０】
炭素数２または３のアルコール系化合物の配合割合は、脂肪酸セッケン１重量部に対して、好ましくは、２〜１５重量部であり、より好ましくは、５〜１０重量部である。
炭素数２または３のアルコール系化合物の配合割合が、上記範囲を下回ると、テルペン系化合物の可溶化が困難になり、均一なエアゾール用組成物が得られなくなるおそれがあり、逆に、上記範囲を上回ると、水の含有割合が少なくなるために、脂肪酸セッケンの湿潤および浸透効果が低下して、洗浄効果が十分に発揮されなくなるおそれがある。
【００３１】
テルペン系化合物の配合割合は、脂肪酸セッケン１重量部に対して、好ましくは、０．１〜１重量部であり、より好ましくは、０．２〜０．５重量部である。
テルペン系化合物の配合割合が、上記範囲を下回ると、天然精油の爽やかな香りを十分に発揮できなくなるおそれがあり、逆に、上記範囲を上回ると、水への可溶化が困難になって、均一なエアゾール用組成物が得られなくなるおそれがある。
【００３２】
なお、水の含有割合は、上記配合される各種成分の残余の割合とされる。
また、上記エアゾール用組成物に、任意の成分として、界面活性剤を配合する場合において、界面活性剤の配合割合は、脂肪酸セッケン１重量部に対して、好ましくは、０．５〜１０重量部であり、より好ましくは、１〜５重量部である。
また、上記エアゾール用組成物を用いてエアゾール洗浄剤を調製するには、例えば、上記エアゾール用組成物をエアゾール容器内に充填し、さらに、エアゾール容器内に噴射剤を加圧充填した後、密封すればよい。
【００３３】
噴射剤としては、特に限定されないが、例えば、プロパン、ｎ−ブタン、イソブタン、これらの混合物である液化石油ガス（ＬＰＧ）、例えば、メタンを主成分とする液化天然ガス（ＬＮＧ）、例えば、イソペンタン、ジメチルエーテルなどの液化ガス、例えば、フロン１１（登録商標）、フロン１２（登録商標）、フロン２１（登録商標）、フロン１１３（登録商標）、フロン１１４（登録商標）などのフッ化炭化水素類、例えば、窒素ガス、炭酸ガスなどが挙げられる。なかでも、特に好ましくは、ＬＰＧが挙げられる。
【００３４】
エアゾール容器としては、噴出口を有する耐圧性の容器であること以外は、特に限定されず、公知の種々のタイプのエアゾール容器が挙げられる。
エアゾール容器の具体例としては、特に限定されるものではなく、例えば、耐圧容器と、上記耐圧容器の開口部を封止するバルブと、上記バルブに連なって、エアゾール用組成物の噴出口をなすボタンと、上記バルブに連なって、上記エアゾール容器の内部に配置されるディップチューブとを備える、一般的な構造のエアゾール容器が挙げられる。また、例えば、上記ディップチューブを有さず、使用時にバルブを下向きにして（倒立状態で）エアゾール用組成物を噴射させるタイプのエアゾール容器、例えば、上記バルブの横に噴射剤用の孔（ベーパータップ）を備える、微細な噴射粒子を得るのに適したタイプのエアゾール容器（使用時にバルブが上向き（正立状態）であるか、下向き（倒立状態）であるかを問わないタイプのもの。）、例えば、チューブタイプやプリーツタイプの内袋を有する二重構造タイプのエアゾール容器などが挙げられる。
【００３５】
また、上記エアゾール容器は、好ましくは、上記エアゾール用組成物を外部へ噴射させるための噴射口に接続される噴射管を備えている。この噴射管は、より好ましくは、上記噴射口に対して着脱自在に接続される。
噴射管は、エアゾール容器の噴射口から噴射されるエアゾール用組成物を通過させることができる内径を備えていること以外は、特に限定されず、例えば、噴射管の長さ、外径などについては、エアゾール容器の用途に応じて、適宜設定できる。また、噴射管は、プラスチック製であってもよく、金属製であってもよい。上記噴射管は、例えば、噴射管と上記噴射口とを互いに嵌合させることにより、上記エアゾール容器に装着することができる。
【００３６】
上記噴射管がエアゾール容器に備えられているときは、エアゾール容器の使用時に、エアゾール用組成物を、所望の部位に対して集中して噴射させることができる。
エアゾール容器内でのエアゾール用組成物と噴射剤との充填割合は、特に限定されないが、通常、重量比で、５：９５〜９５：５であり、好ましくは、３０：７０〜７０：３０である。
【００３７】
エアゾール洗浄剤中での脂肪酸セッケンの含有割合は、好ましくは、０．５〜５重量％であり、より好ましくは、１〜３重量％である。
エアゾール洗浄剤中での炭素数２または３のアルコール系化合物の含有割合は、好ましくは、５〜３０重量％、より好ましくは、１０〜２０重量％である。
エアゾール洗浄剤中でのテルペン系化合物の含有割合は、好ましくは、０．１〜３重量％、より好ましくは、０．２〜２重量％である。
【００３８】
エアゾール洗浄剤中での水の含有割合は、特に限定されないが、好ましくは、５〜９５重量％、より好ましくは、３０〜８０重量％である。
また、上記エアゾール用組成物に、任意の成分として、界面活性剤を配合する場合において、エアゾール洗浄剤中での界面活性剤の配合割合は、好ましくは、１〜２０重量％であり、より好ましくは、２〜１０重量％である。
【００３９】
上記エアゾール洗浄剤は、例えば、温水洗浄便座の洗浄ノズル用クリーナー、便器のボックス型リム部の噴水孔用クリーナーなどの用途に用いることができる。
図１（ａ）および（ｂ）は、本発明のエアゾール洗浄剤を、温水洗浄便座の洗浄ノズル用クリーナーとして使用する場合の使用例を示す概略説明図であって、（ａ）は、温水洗浄便座の洗浄ノズルを示し、（ｂ）は、洗浄ノズルに本発明のエアゾール洗浄剤を噴射した状態を示す。
【００４０】
上記エアゾール洗浄剤１を、温水洗浄便座２の洗浄ノズル用クリーナーとして用いる場合において、洗浄ノズル３は、その材質について特に限定されず、例えば、樹脂製であってもよく、金属製であってもよい。
上記エアゾール洗浄剤１を、温水洗浄便座の洗浄ノズル用クリーナーとして用いる場合には、例えば、温水洗浄便座２の洗浄ノズル３がノズル収納部４から引き出されている状態で、洗浄ノズル３の表面に対して、直接に、上記エアゾール洗浄剤１をスプレーすればよい。すなわち、上記洗浄ノズルを直接手で触れることなく、離れた位置から操作することができる。
【００４１】
特に、エアゾール洗浄剤１が、エアゾール用組成物を噴射させるための噴射口（図示せず）に接続される噴射管５を備えているときには、離れた位置から洗浄ノズル３に対して、正確にエアゾール用組成物を噴射させ、洗浄ノズル３上にエアゾール用組成物の泡６を確実に付着させることができる。
なお、近年の温水洗浄便座においては、通常、その操作部において、上記洗浄ノズルのクリーニングモードを選択することにより、ノズル収納部に収納された上記洗浄ノズルが自動で出し入れされるように設定されている。さらに、上記洗浄ノズルを出し入れする際には、上記洗浄ノズルの表面に自動的に水がかかって、汚れが洗い落とされように設定されている。それゆえ、上記洗浄ノズルの表面に上記エアゾール用組成物を噴射、付着させる操作を含めて、上記洗浄ノズルをクリーニングする者が洗浄ノズルを直接に手で触れる必要がなく、上記洗浄ノズルをクリーニング時の心理的負担を軽減することができる。
【００４２】
上記エアゾール洗浄剤を上記洗浄ノズルの表面に対してスプレーする程度は、特に限定されないが、例えば、１〜２秒間程度（噴射量約２．５〜４．０ｇ程度）とすることが好ましい。
図２（ａ）および（ｂ）は、本発明のエアゾール洗浄剤を、便器のボックス型リム部の噴水孔用クリーナーとして使用する場合の使用例を示す概略説明図であって、（ａ）は、便器の縁部を拡大して示す部分欠截図であり（ｂ）は、ボックス型リム部の噴水孔およびその近傍に本発明のエアゾール洗浄剤を噴射した状態を示す。
【００４３】
上記エアゾール洗浄剤１を、便器１０のボックス型リム部１１の噴水孔用クリーナーとして用いる場合において、上記噴水孔１２は、通常、便器１０の上部側から見えにくく、かつ、エアゾール洗浄剤（エアゾール容器）１を近づけにくい部位に設けられていることから、エアゾール洗浄剤１は、エアゾール用組成物を噴射させるための噴射口（図示せず）に接続される噴射管５を備えていることが好ましい。
【００４４】
また、上記エアゾール洗浄剤を、便器１０のボックス型リム部１１の噴水孔用クリーナーとして用いる場合において、上記噴水孔１２は、通常、鉛直方向下向き（図２に符号ｘで示す方向）に噴水するように配置されていることから、エアゾール用組成物は、鉛直方向下側から上側へと傾斜して噴射される。このため、エアゾール洗浄剤（エアゾール容器）１は、使用時にバルブを下向きにしてエアゾール用組成物を噴射させるタイプのエアゾール容器（例えば、ディップチューブを有しないもの。）、または、使用時のバルブの向きが下向き（倒立状態）であるか、上向き（正立状態）であるかを問わないタイプのエアゾール容器（例えば、ベーパータップを備えているもの。）であることが好ましい。なお、図２（ｂ）中、符号１３は、ボックス型リム部１２の内部に形成された通水経路を示し、符号１４は、便器１０のボール部を示す。
【００４５】
上記エアゾール洗浄剤１を、便器１０のボックス型リム部１１の噴水孔用クリーナーとして用いる場合において、便器１０は、陶器製のものであってもよく、その他の材質からなるのものであってもよい。
上記エアゾール洗浄剤を、便器１０のボックス型リム部１１の噴水孔用クリーナーとして用いる場合には、例えば、便器１０の便蓋１５を開いた状態で、便器のボックス型リム部の表面（上記噴水孔とその近傍）に対して、直接に、上記エアゾール洗浄剤をスプレーすればよい。
【００４６】
上記エアゾール洗浄剤を上記ボックス型リム部の噴水孔およびその近傍に対してスプレーする程度は、特に限定されないが、例えば、１〜２秒間程度（噴射量約２．５〜４．０ｇ程度）とすることが好ましい。
上記エアゾール洗浄剤１中のエアゾール用組成物は、使用時に泡立ち、ムース状となってエアゾール容器から噴射される。それゆえ、温水洗浄便座２の洗浄ノズル３の表面や、便器１０のボックス型リム部１１の噴水孔１２およびその近傍に噴射、付着されたエアゾール用組成物は、洗浄ノズル３上、または、噴水孔１２およびその近傍上にて、比較的長時間（通常、約３〜５分間程度）留まり、その後、泡が消失し、液状となって、便器（ボール部１４）へと流れ落ちる。
【００４７】
このように、上記エアゾール洗浄剤によれば、噴射されたエアゾール用組成物が、上記洗浄ノズル上にて、または、上記噴水孔およびその近傍上にて一定時間留まることから、上記洗浄ノズル、または、上記噴水孔およびその近傍に対する洗浄時間を長くして、洗浄効果を高めることができる。なお、上記洗浄ノズル、または、上記噴水孔およびその近傍の汚れの程度に応じて、ムース状のエアゾール用組成物が上記洗浄ノズル表面、または、上記噴水孔およびその近傍上に留まっているときに、例えば、ブラシで擦り洗いをしたり、トイレットペーパーなどで拭き取ったりすることも可能である。
【００４８】
なお、上記エアゾール洗浄剤は、温水洗浄便座の洗浄ノズル用クリーナーや、便器のボックス型リム部の噴水孔用クリーナーとしてだけでなく、例えば、便座表面、便器ボール部表面、便器の外側表面などのクリーナーとして用いることもできる。この場合においても、上記エアゾール洗浄剤は、洗浄の対象とする部位に上記エアゾール用組成物を噴射して使用すればよく、例えば、上記エアゾール用組成物の泡が洗浄対象部位に留まっている状態で、擦り洗いなどをすればよい。また、便座や便器ボール部などの洗浄後、上記エアゾール用組成物が下水に直接排出されたとしても、上述したように、環境に対する負荷を抑制できる。さらに、例えば、便座の洗浄後、上記エアゾール用組成物が便座表面に残留したとしても、皮膚などに刺激を感じるといった不具合の発生を抑制できる。
【実施例】
【００４９】
次に、本発明を実施例に基づいて説明するが、本発明は下記の実施例によって限定されるものではない。
実施例１
脂肪酸セッケン（ヤシ油のケン化物）２．５重量部と、イソプロピルアルコール１７．５重量部と、ユーカリの精油１重量部と、水７９重量部とを配合して、攪拌、混合することにより、エアゾール用組成物を得た。
【００５０】
次いで、上記エアゾール用組成物と、液化石油ガス（ＬＰＧ）とを、エアゾール容器内に加圧充填後、密閉して、エアゾール洗浄剤を得た。エアゾール洗浄剤の組成は、次のとおりである。
脂肪酸セッケン２重量％、イソプロピルアルコール１３．６９重量％、ユーカリ精油０．５重量％、水７５．０４重量％、ＬＰＧ８．７７重量％。
【００５１】
試験例１
上記実施例１で得られたエアゾール洗浄剤を用いて、温水洗浄便座の洗浄ノズルをクリーニングすることにより、上記実施例１で得られたエアゾール用組成物の洗浄効果（抗菌力）を評価した。なお、エアゾール洗浄剤が実際に使用される際のエアゾール用組成物の濃度に鑑みて、上記実施例１で得られたエアゾール用組成物３．３ｍＬを精製水１００ｍＬで希釈してサンプルを調製し、得られたサンプルを用いて抗菌力を評価した。
【００５２】
抗菌力の評価に用いる一般細菌には、空中に浮遊する細菌を標準寒天培養液にて培養したものを使用した。なお、培養された微生物の測定器具には、微生物簡易測定機器（サンアイバイオチェッカー、三愛石油（株）製）を使用した。
抗菌力の評価試験は、空中に浮遊する細菌を標準寒天培養液にて２４時間培養したものをブランクとした。
【００５３】
また、上記標準寒天培養液に上記サンプル３．３ｍＬを加え、これに、微生物簡易測定機器の培地面全体を数秒間浸漬した後、２４時間培養した（試験例１）。こうして、上記ブランクと、上記試験例１とで、２４時間培養後の菌数を比較した。
さらに、上記標準寒天培養液にエタノール３．３ｍＬを加え、これに、微生物簡易測定機器の培地面全体を数秒間浸漬して、２４時間培養した場合を比較試験例１とし、上記標準寒天培養液にイソプロピルアルコール３．３ｍＬを加え、これに、微生物簡易測定機器の培地面全体を数秒間浸漬して、２４時間培養した場合を比較試験例２とした。
【００５４】
以上の結果、ブランクでは、２４時間培養後の菌数が１０7ｃｆｕ／ｍＬ以上であったのに対し、実施例１のエアゾール用組成物の希釈サンプルを用いた試験例１では、２４時間培養後の菌数を１０1ｃｆｕ／ｍＬ以下に抑制することができた。なお、２４時間培養後の菌数は、比較試験例１で１０5〜１０6ｃｆｕ／ｍＬ、比較試験例２で１０6〜１０7ｃｆｕ／ｍＬであった。
【００５５】
上記の結果より、実施例１のエアゾール用組成物を使用することで、一般細菌の繁殖を抑制することができることがわかった。また、実施例１のエアゾール用組成物は、環境に対する負荷や皮膚や粘膜に対する刺激が小さいことから、例えば、温水洗浄便座の洗浄ノズルのクリーニングの用途などに好適であることがわかった。
試験例２
上記実施例１で得られたエアゾール洗浄剤の比較対象として、市販のトイレ洗浄・消臭用スプレー（中性）を用いた。
【００５６】
上記実施例１で得られたエアゾール洗浄剤と、市販のトイレ洗浄・消臭用スプレーとを、それぞれ、便器のボックス型リム部の噴水孔およびその近傍と、表面に人工的な汚れが付着されかつ略垂直に立て掛けられたタイルの上記表面と、に噴射して、エアゾール用組成物の泡立ちの程度、および、洗浄力（洗浄効果）を評価した。
上記の結果より、実施例１のエアゾール用組成物を使用することで、エアゾール用組成物の気泡力が高く、洗浄の対象物である上記噴水孔およびその近傍において、比較的長時間にわたって付着できることがわかった。また、目視により観察した結果、上記タイルの表面に人工的に付着された汚れは、エアゾール用組成物の気泡力が高いことから、エアゾール洗浄剤の泡の広がりにより、比較的広い範囲にわたって洗浄、除去されていた。
【００５７】
これに対し、市販のトイレ洗浄・消臭用スプレーを使用したときは、洗浄成分が便器のボックス型リム部やタイルの表面において保持されにくく、比較的早期に、便器ボール部へと落下し、実施例１のエアゾール洗浄剤を用いた場合に比べて、汚れの洗浄、除去効果が顕著に劣っていた。また、上記タイルの表面において、汚れが洗浄、除去された範囲は、洗浄成分が上記タイルの表面を伝って流れ落ちた領域に限られることから、実施例１のエアゾール洗浄剤を用いた場合に比べて、明らかに狭くなっていた。
【図面の簡単な説明】
【００５８】
【図１】本発明のエアゾール洗浄剤を、温水洗浄便座の洗浄ノズル用クリーナーとして使用する場合の使用例を示す概略説明図であって、（ａ）は、温水洗浄便座の洗浄ノズルを示し、（ｂ）は、洗浄ノズルに本発明のエアゾール洗浄剤を噴射した状態を示す。
【図２】本発明のエアゾール洗浄剤を、便器のボックス型リム部の噴水孔用クリーナーとして使用する場合の使用例を示す概略説明図であって、（ａ）は、便器の縁部を拡大して示す部分欠截図であり（ｂ）は、ボックス型リム部の噴水孔およびその近傍に本発明のエアゾール洗浄剤を噴射した状態を示す。
【符号の説明】
【００５９】
１  エアゾール洗浄剤
２  温水洗浄便座
３  洗浄ノズル
５  噴射管
６  エアゾール用組成物の泡
１０  便器
１１  ボックス型リム部
１２  噴水孔
【図１】
2006089762.tif 000003
【図２】
2006089762.tif 000004